(57)【要約】【課題】着用時の見栄えが良好なシャツを提供する。【解決手段】シャツ１は、台襟７と、台襟ボタン９と、複数の主ボタン１０（１１，１２，１３，１４，１５，１６）と、副ボタン２１とを有する。台襟ボタン９は、台襟７の端部同士を留める。複数の主ボタン１０は、前立て５上で上前身頃２と下前身頃３とを留める。副ボタン２１は、前立て５上で上前身頃２と下前身頃２とを留める。副ボタン２１は、台襟７に最も近い主ボタン１１と、台襟７との間に配置されている。【選択図】図１
2019026984.tif 000002
【特許請求の範囲】
【請求項１】
台襟と、
前記台襟の端部同士を留める台襟ボタンと、
前立て上で上前身頃と下前身頃とを留める複数の主ボタンと、
前記前立て上で前記上前身頃と前記下前身頃とを留める副ボタンとを有し、
前記副ボタンは、前記台襟に最も近い前記主ボタンと、前記台襟との間に配置されている、シャツ。
【請求項２】
前記複数の主ボタンは、前記前立ての長手方向に沿って一列に並んでおり、
前記副ボタンは、前記複数の主ボタンが並ぶ列から、前記上前身頃の側端部から離れる方向にずれた位置に配置されている、請求項１に記載のシャツ。
【請求項３】
前記主ボタン及び前記副ボタンは、糸を用いて前記下前身頃に取り付けられており、
前記副ボタンの糸足は、前記台襟に最も近い前記主ボタンの糸足よりも長い、請求項１又は２に記載のシャツ。
【請求項４】
前記副ボタンは、前記上前身頃に設けられた副ボタンホールに掛けられるように構成されており、
前記副ボタンホールの長手方向は、前記前立ての長手方向に対して垂直な方向又は前記前立ての長手方向に対して傾斜した方向である、請求項１から３のいずれかに記載のシャツ。
【請求項５】
前記副ボタンは、前記主ボタンよりも小さい、請求項１から４のいずれかに記載のシャツ。
【請求項６】
前記副ボタンは、スナップボタンである、請求項１から３のいずれかに記載のシャツ。
【発明の詳細な説明】
【技術分野】
【０００１】
この発明は、シャツに関し、特に、台襟を有するシャツに関する。
【背景技術】
【０００２】
わが国においては、近年、環境問題対策や省エネルギー化に向けての意識の高まりとともに、夏期におけるクールビズと呼ばれる軽装慣行が浸透しつつある。クールビズが服装の基準として適用される場面では、ノーネクタイ、ノージャケットの服装が推奨されるのが一般的である。
【０００３】
クールビズが適用される場合には、台襟を有するシャツ（通常のビジネスの場面においてネクタイ着用を前提として着用されるワイシャツなど；以下、単にシャツということがある。）は、台襟を留めるための台襟ボタンを留めずに着用される。すなわち、シャツは、前立て部分に設けられた複数の主ボタンによって上前身頃と下前身頃とが留められた状態で、台襟ボタンが外された状態で着用される。
【０００４】
下記特許文献１には、襟元下部周辺生地面を、常に綺麗なラインで保つことを目的として、ワイシャツの襟元下部周辺生地面の裏面生地部左右の生地面に、生地面を互いが対面状態になる様に斜め線状に面を区分けし、対面している互いの生地部に周辺生地面とは異質の硬質を持たせ、襟元下部周辺の生地が、線で区分けした通りに折り曲げられるようにすることが開示されている。
【先行技術文献】
【特許文献】
【０００５】
【特許文献１】特開２００７−３２１３２６号公報
【発明の概要】
【発明が解決しようとする課題】
【０００６】
ところで、上記のように、シャツの台襟ボタンを留めずに着用する場合、襟部分が左右に開き過ぎることがある。すなわち、通常のシャツでは、台襟ボタンを留めた状態やネクタイをしめた状態で着用されることが想定されているため、前立て部分に設けられた主ボタンのうち最も襟に近い主ボタンと、台襟ボタンとの間は、比較的離れている場合が多い。そのため、ネクタイを着用せず、台襟ボタンが外された状態では、襟から、最も襟に近い主ボタンまでの間で、上前身頃と下前身頃とが開く状態となる。クールビズが適用されている状況下であっても、このような程度にまで襟元が開く状態を格好が悪いと評価する者も少なくない。
【０００７】
また、上記のように台襟ボタンを留めた状態やネクタイをしめた状態で着用されることが想定されている通常のシャツでは、襟元が開きすぎると、生地がよじれたり折れたりすることがある。そのため、台襟の裏側が外に表れたり、襟が寝たりし、格好が悪くなることがある。
【０００８】
この発明はそのような問題点を解決するためになされたものであり、着用時の見栄えが良好なシャツを提供することを目的としている。
【課題を解決するための手段】
【０００９】
上記目的を達成するためこの発明のある局面に従うと、シャツは、台襟と、台襟の端部同士を留める台襟ボタンと、前立て上で上前身頃と下前身頃とを留める複数の主ボタンと、前立て上で上前身頃と下前身頃とを留める副ボタンとを有し、副ボタンは、台襟に最も近い主ボタンと、台襟との間に配置されている。
【００１０】
好ましくは、複数の主ボタンは、前立ての長手方向に沿って一列に並んでおり、副ボタンは、複数の主ボタンが並ぶ列から、上前身頃の側端部から離れる方向にずれた位置に配置されている。
【００１１】
好ましくは、主ボタン及び副ボタンは、糸を用いて下前身頃に取り付けられており、副ボタンの糸足は、台襟に最も近い主ボタンの糸足よりも長い。
【００１２】
好ましくは、副ボタンは、上前身頃に設けられた副ボタンホールに掛けられるように構成されており、副ボタンホールの長手方向は、前立ての長手方向に対して垂直な方向又は前立ての長手方向に対して傾斜した方向である。
【００１３】
好ましくは、副ボタンは、主ボタンよりも小さい。
【００１４】
好ましくは、副ボタンは、スナップボタンである。
【発明の効果】
【００１５】
これらの発明に従うと、着用時の見栄えが良好なシャツを提供することができる。
【図面の簡単な説明】
【００１６】
【図１】本発明の第１の実施の形態におけるシャツを示す正面図である。
【図２】シャツの部分拡大正面図である。
【図３】シャツの襟元部分を示す斜視図である。
【図４】台襟ボタンを留めない状態のシャツの襟元部分を示す斜視図である。
【図５】シャツの襟元部分を示す断面図である。
【図６】ネクタイを着用した状態のシャツを示す部分拡大正面図である。
【図７】本実施の形態の一変形例に係るシャツの部分拡大正面図である。
【図８】本実施の形態の別の変形例に係るシャツの部分拡大正面図である。
【発明を実施するための形態】
【００１７】
以下、本発明の実施の形態におけるシャツについて説明する。
【００１８】
［第１の実施の形態］
【００１９】
図１は、本発明の第１の実施の形態におけるシャツ１を示す正面図である。図２は、シャツ１の部分拡大正面図である。図３は、シャツ１の襟元部分を示す斜視図である。
【００２０】
以下の説明において、シャツの裾から襟に向く方向を上とし、図１の紙面における左を右とし、図１の紙面における右を左とし、図１の紙面の裏から表に向く方向を前とする。
【００２１】
図１に示されるように、シャツ１は、いわゆるワイシャツであり、台襟７を有するものである。シャツ１は、上前身頃２と、下前身頃３と、前立て５と、台襟７と、襟８とを有している。シャツ１は、例えば、長袖のワイシャツである。上前身頃２は、下前身頃３の上側にあり、下前身頃３と前立て５が設けられている部分で重なる。上前身頃２は左側にあり、下前身頃３は右側に位置している。
【００２２】
前立て５は、上前身頃２の側端部２ａに沿って、台襟７の下から裾まで上下方向に取り付けられている。前立て５の左右方向の幅は、略一定である。本実施の形態において、前立て５は、例えば表前立てである。
【００２３】
シャツ１は、台襟ボタン９と、複数の主ボタン１０（１１，１２，１３，１４，１５，１６）と、副ボタン２１とを有している。台襟ボタン９は、１つ設けられている。台襟ボタン９は、複数個設けられていてもよい。主ボタン１０は、６個設けられている。主ボタン１０の数は、６より少なくてもよいし、７以上であってもよい。副ボタン２１は、１つ設けられている。副ボタン２１は、複数個設けられていてもよい。
【００２４】
図１に示されるように、６個の主ボタン１０は、前立て５の長手方向すなわち上下方向に沿って、一列に並んでいる。各主ボタン１０は、下前身頃３のうち前立て５に重なる位置に取り付けられている。前立て５は、シャツ１の左右中央に位置している。主ボタン１０は、シャツ１の左右中央に、略均等な感覚で、上下に並んで配置されている。
【００２５】
前立て５には、各主ボタン１０に対応する位置に、主ボタンホール５ａが設けられている。本実施の形態において、主ボタンホール５ａの長手方向は、上下方向である。各主ボタン１０は、主ボタンホール５ａに掛かり、前立て５上で下前身頃３と上前身頃２とを留める。
【００２６】
図２に示されるように、台襟ボタン９は、台襟７のうち、下前身頃３側の端部に設けられている。台襟７のうち上前身頃２側の端部には、台襟ボタンホール９ａが設けられている。台襟ボタン９は、台襟ボタンホール９ａに掛かり、台襟７の端部同士を留める。台襟ボタン９は、シャツ１の左右中央の上部に位置し、台襟７の端部同士は、着用者の喉元付近で留められる。
【００２７】
副ボタン２１は、下前身頃３のうち前立て５に重なる位置に取り付けられている。副ボタン２１は、シャツ１の略左右中央となる位置に配置されている。
【００２８】
前立て５には、副ボタン２１に対応する位置に、副ボタンホール５ｂが設けられている。本実施の形態において、副ボタンホール５ｂの長手方向は、上下方向である。副ボタン２１は、副ボタンホール５ｂに掛かり、前立て５上で下前身頃３と上前身頃２とを留める。
【００２９】
本実施の形態において、副ボタン２１は、主ボタン１０よりも小さい。そのため、副ボタン２１は比較的目立ちにくくなっている。
【００３０】
副ボタン２１は、複数の主ボタン１０のうち、台襟７に最も近い主ボタン１１（すなわち、最も上方の主ボタン１１）の上方に配置されている。すなわち、副ボタン２１は、台襟７に最も近い主ボタン１１と台襟７との間に配置されている。図２に示されるように、台襟７から主ボタン１１の取り付け位置までの上下の寸法Ｌ１は、台襟７から副ボタン７の取付位置までの上下の寸法Ｌ２よりも大きい。
【００３１】
また、本実施の形態において、副ボタン２１は、複数の主ボタン１０が並ぶ列から、上前身頃２の側端部２ａから離れる方向にずれた位置に配置されている。すなわち、副ボタン２１は、主ボタン１０よりも内側に、前立ての長手方向に対して垂直な方向（すなわち、左右方向）にオフセットした位置に配置されている。本実施の形態において、図２において一点鎖線Ｃ１で示される複数の主ボタン１０が並ぶ列から、副ボタン２１の取付位置までは、距離Ｗだけ離れている。
【００３２】
シャツ１は、例えばクールビズが適用されている場合などに、ノーネクタイで、台襟ボタン９を留めずに着用するのに適している。
【００３３】
図４は、台襟ボタン９を留めない状態のシャツ１の襟元部分を示す斜視図である。
【００３４】
図４に示されるように、クールビズが提供されている場合などにおいては、シャツ１を、台襟ボタン９を留めず、主ボタン１０と副ボタン２１とを留めた状態で着用することができる。この場合において、主ボタン１０よりも上方で副ボタン２１が留められていることにより、襟元において上前身頃２と下前身頃３との開き具合が適度に抑えられる。すなわち、ネクタイを着用せず、台襟ボタン９が外されている状態であっても、襟８と主ボタン１１までの間で、上前身頃２と下前身頃３とが開きすぎる状態となることがなく、上前身頃２がねじれたり折れたりしにくくなる。そのため、シャツ１の着用時の見栄えが良好になる。
【００３５】
また、副ボタン２１は主ボタン１０よりも小さいので、下前身頃３から開きつつある部分の上前身頃２の布地が副ボタン２１によって抑えられることによるしわ等が生じにくくなる。
【００３６】
また、本実施の形態においては、上述のように副ボタン２１が主ボタン１０の列から内側にオフセットされて配置されているので、シャツ１の着用時の見栄えがさらに良好になる。すなわち、襟元において下前身頃３から開きつつある上前身頃２の開き具合は、副ボタン２１のみでなく、副ボタン２１と主ボタン１１との両方によって抑えられる。上前身頃２は、副ボタン２１によって上前身頃２と下前身頃３とが開きすぎないように抑えられた状態で、主ボタン１１が設けられているあたりから上方に向かって徐々に大きく開いていく。したがって、シャツ１の襟元部分において、上前身頃２がねじれたり折れたりすることなく、上前身頃２の側端部２ａのラインが美しく保たれる。また、副ボタン２１が比較的着用者の喉元に近い位置にあっても、台襟７部分の開き具合は一定程度には保たれる。そのため、着用者の喉元がしまり気味になることがなく、着用者が適度に涼しさを感じることができる。
【００３７】
なお、本実施の形態においては、寸法Ｌ２は、寸法Ｌ１の２分の１よりも小さくなっている。これにより、副ボタン２１が主ボタン１０の列から内側にオフセットされて配置されているのと相まって、シャツ１の襟元部分における上前身頃２の側端部２ａのラインをより美しく保つことができる。
【００３８】
図５は、シャツ１の襟元部分を示す断面図である。
【００３９】
図５において、シャツ１の襟元部分の、上下方向と前後方向とに平行な断面が模式的に示されている。
【００４０】
図５に示されるように、主ボタン１０及び副ボタン２１は、糸を用いて下前身頃３に取り付けられている。そして、副ボタン２１の糸足２１ａは、台襟７に最も近い主ボタン１１の糸足１１ａよりも長くなっている。すなわち、副ボタン２１の糸足２１ａの長さＬ２は、主ボタン１１の糸足１１ａの長さＬ１よりも大きくなっている。
【００４１】
このように副ボタン２１の糸足２１ａが主ボタン１１の糸足１１ａよりも長いので、台襟ボタン９を外している場合において、副ボタン２１によって上前身頃２と下前身頃３とが開きすぎないように抑えられた状態であっても、襟元部分において上前身頃２が前方に適度に開くので、着用者に効果的に涼しさを感じさせることができる。
【００４２】
なお、副ボタン２１の糸足２１ａは、主ボタン１１の糸足１１ａと同じ長さであってもよいし、糸足１１ａよりも短くてもよい。
【００４３】
図６は、ネクタイを着用した状態のシャツ１を示す部分拡大正面図である。
【００４４】
図６において、ネクタイ６１は、二点鎖線で示されている。図６において、各ボタンホールの図示は省略されている。
【００４５】
図６に示されるように、シャツ１は、クールビズが適用されているか否かにかかわらず、ネクタイ６１を着用し、台襟ボタン９を留めた状態であっても、着用時の見栄えが良好になるように構成されている。すなわち、副ボタン２１は、主ボタン１０が並ぶ列から内側にオフセットしているといえども、前立て５上に位置している。そのため、ネクタイ６１の着用時において、副ボタン２１はネクタイ６１のノットの近傍の部位に隠れ、前方に露出しにくくなる。したがって、通常のシャツ（副ボタン２１を有しないシャツ）と同様に、シャツ１を着用することができる。
【００４６】
なお、副ボタン２１は、必ずしもネクタイ６１に隠れるような位置に配置されていなくてもよい。
【００４７】
［変形例の説明］
【００４８】
以下に、本実施の形態におけるシャツ１の変形例について説明する。シャツ１と同様の構成については同一の符号を付して説明する。
【００４９】
図７は、本実施の形態の一変形例に係るシャツの部分拡大正面図である。
【００５０】
図７に示されるように、本変形例において、シャツ１には、上述の実施の形態とは異なる副ボタンホール２５ｂが設けられている。すなわち、副ボタンホール２５ｂの長手方向は、上下方向ではなく、左右方向（前立ての長手方向に対して垂直な方向）である。シャツ１の台襟ボタン９、主ボタン１０、及び副ボタン２１がすべて留められている状態で、副ボタン２１の位置から左に、副ボタンホール２５ｂが延びている。
【００５１】
このように、副ボタンホール２５ｂの長手方向が左右方向であるので、副ボタン２１の周辺で、上前身頃２の下前身頃３に対する左右方向の可動域が増える。したがって、台襟ボタン９を外している場合において、副ボタン２１によって上前身頃２と下前身頃３とが開きすぎないように抑えられた状態であっても、襟元部分において上前身頃２が左方向に適度に開くので、着用者に効果的に涼しさを感じさせることができる。
【００５２】
なお、副ボタンホール２５ｂの長手方向は、前立ての長手方向に対して垂直な方向ではなく、前立ての長手方向に対して傾斜した方向であってもよい。副ボタンホール２５ｂの長手方向が上下方向に対して傾斜している場合においても、襟元部分において上前身頃２が左方向に適度に開くようにすることができる。
【００５３】
図８は、本実施の形態の別の変形例に係るシャツの部分拡大正面図である。
【００５４】
図８に示されるように、本変形例において、シャツ１には、上述の実施の形態のように副ボタンホール５ｂに掛けられる副ボタン２１に代えて、スナップボタンである副ボタン１２１が設けられている。すなわち、副ボタン１２１は、上前身頃２の裏側に設けられた１片と下前身頃３の表側に設けられた１片とを有し、これら１組の副ボタン１２１が組み合わせられることで、上前身頃２と下前身頃３とが留められるようになっている。
【００５５】
このようにスナップボタンである副ボタン１２１が設けられている場合であっても、上述の実施の形態と同様に、襟元において上前身頃２と下前身頃３とが開きすぎないようにして、シャツ１の着用時の見栄えを良好にすることができる。
【００５６】
［その他］
【００５７】
上記の実施の形態や各変形例の特徴部分を適宜組み合わせてシャツを構成してもよい。
【００５８】
シャツは、長袖のワイシャツではなく、半袖のワイシャツであってもよい。また、袖の形状や裾の形状は、上述の実施の形態に限られるものではない。また、胸部のポケットの有無や形状は、適宜設定することができる。襟の形状、高さ、台襟の形状等は、上述の実施の形態に限られるものではない。例えば、ボタンダウン型のシャツであってもよい。上前身頃と下前身頃とは、左右が逆であってもよい。
【００５９】
シャツの前立ては、表前立てではなく、裏前立てであってもよい。また、主ボタンを覆う比翼部が設けられていてもよい。この場合、比翼部によって副ボタンが覆われるようにしてもよい。
【００６０】
主ボタンの数や位置は、上述の実施の形態に限られない。
【００６１】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６２】
１  シャツ
２  上前身頃
３  下前身頃
５  前立て
５ａ  主ボタンホール
５ｂ  副ボタンホール
７  台襟
８  襟
９  台襟ボタン
９ａ  台襟ボタンホール
１０（１１，１２，１３，１４，１５，１６）  主ボタン
１１ａ  糸足
２１，１２１  副ボタン
２１ａ  糸足
６１  ネクタイ
【図１】
2019026984.tif 000003
【図２】
2019026984.tif 000004
【図３】
2019026984.tif 000005
【図４】
2019026984.tif 000006
【図５】
2019026984.tif 000007
【図６】
2019026984.tif 000008
【図７】
2019026984.tif 000009
【図８】
2019026984.tif 000010
【手続補正書】
【提出日】平成30年7月25日(2018.7.25)
【手続補正１】
【補正対象書類名】特許請求の範囲
【補正対象項目名】全文
【補正方法】変更
【補正の内容】
【特許請求の範囲】
【請求項１】
台襟と、
前記台襟の端部同士を留める台襟ボタンと、
前立て上で上前身頃と下前身頃とを留める複数の主ボタンと、
前記前立て上で前記上前身頃と前記下前身頃とを留める副ボタンとを有し、
前記副ボタンは、前記台襟に最も近い前記主ボタンと、前記台襟との間に配置されており、
前記複数の主ボタンは、前記前立ての長手方向に沿って一列に並んでおり、
前記副ボタンは、前記複数の主ボタンが並ぶ列から、前記上前身頃の側端部から離れる方向にずれた位置に配置されている、シャツ。
【請求項２】
前記主ボタン及び前記副ボタンは、糸を用いて前記下前身頃に取り付けられており、
前記副ボタンの糸足は、前記台襟に最も近い前記主ボタンの糸足よりも長い、請求項１に記載のシャツ。
【請求項３】
台襟と、
前記台襟の端部同士を留める台襟ボタンと、
前立て上で上前身頃と下前身頃とを留める複数の主ボタンと、
前記前立て上で前記上前身頃と前記下前身頃とを留める副ボタンとを有し、
前記副ボタンは、前記台襟に最も近い前記主ボタンと、前記台襟との間に配置されており、
前記主ボタン及び前記副ボタンは、糸を用いて前記下前身頃に取り付けられており、
前記副ボタンの糸足は、前記台襟に最も近い前記主ボタンの糸足よりも長い、シャツ。
【請求項４】
前記副ボタンは、前記上前身頃に設けられた副ボタンホールに掛けられるように構成されており、
前記副ボタンホールの長手方向は、前記前立ての長手方向に対して垂直な方向又は前記前立ての長手方向に対して傾斜した方向である、請求項１から３のいずれかに記載のシャツ。
【請求項５】
前記副ボタンは、前記主ボタンよりも小さい、請求項１から４のいずれかに記載のシャツ。
【請求項６】
前記副ボタンは、スナップボタンである、請求項１に記載のシャツ。
【手続補正２】
【補正対象書類名】明細書
【補正対象項目名】０００９
【補正方法】変更
【補正の内容】
【０００９】
上記目的を達成するためこの発明のある局面に従うと、シャツは、台襟と、台襟の端部同士を留める台襟ボタンと、前立て上で上前身頃と下前身頃とを留める複数の主ボタンと、前立て上で上前身頃と下前身頃とを留める副ボタンとを有し、副ボタンは、台襟に最も近い主ボタンと、台襟との間に配置されており、複数の主ボタンは、前立ての長手方向に沿って一列に並んでおり、副ボタンは、複数の主ボタンが並ぶ列から、上前身頃の側端部から離れる方向にずれた位置に配置されている。
【手続補正３】
【補正対象書類名】明細書
【補正対象項目名】００１０
【補正方法】変更
【補正の内容】
【００１０】
好ましくは、主ボタン及び副ボタンは、糸を用いて下前身頃に取り付けられており、副ボタンの糸足は、台襟に最も近い主ボタンの糸足よりも長い。
【手続補正４】
【補正対象書類名】明細書
【補正対象項目名】００１１
【補正方法】変更
【補正の内容】
【００１１】
この発明の他の局面に従うと、シャツは、台襟と、台襟の端部同士を留める台襟ボタンと、前立て上で上前身頃と下前身頃とを留める複数の主ボタンと、前立て上で上前身頃と下前身頃とを留める副ボタンとを有し、副ボタンは、台襟に最も近い主ボタンと、台襟との間に配置されており、主ボタン及び副ボタンは、糸を用いて下前身頃に取り付けられており、副ボタンの糸足は、台襟に最も近い主ボタンの糸足よりも長い。